(57)【要約】      （修正有）【課題】カレンダー等の多数のカードを立設した状態で載置するとともに、構造が簡単な筆記具立てを形成可能とした卓上設置型カードホルダーを提供する。【解決手段】平板状の合成樹脂板２における上下に形成した係合凸部の中央側近傍に、薄肉の反転部を形成し、前記反転部から中央部側に延びる帯状部を、前記反転部を残して前記合成樹脂板２と分離可能に形成し、前記各反転部を略１８０度反転させた際に前記各係合凸部に係合する係合孔を各幅広帯状部４５ａ、４５ｂに形成する。さらに、前記各幅広帯状部４５ａ、４５ｂの端部側に幅狭帯状部４６ａ、４６ｂを輪状にして貫通可能なスリットを形成し、支持脚３により卓上に設置した際に前記一対の係合凸部に係合して、上下に位置する２個の輪状にした前記帯状部により筆記具立て４を形成可能とする。【選択図】図１
0003174729.tif 000002
【実用新案登録請求の範囲】
【請求項１】
平板状の合成樹脂板の左右方向中央部に薄肉の一対の折曲部を形成し、前記各折曲部から各側端部に延びる一対の舌片を、前記各折曲部を残して前記合成樹脂板と分離可能に形成し、前記一対の舌片の端部側を互いに係合させて背面から後方に立設した支持脚を形成可能であるとともに、多数のカードを立設した状態で載置する卓上設置型カードホルダーにおいて、
前記合成樹脂板の一側端部側背面に一対の係合凸部を上下に形成し、
前記合成樹脂板における前記各係合凸部の中央側近傍に薄肉の反転部を形成し、前記反転部から中央部側に延びる帯状部を、前記反転部を残して前記合成樹脂板と分離可能に形成し、
前記各帯状部は、前記反転部側を幅広帯状部に、端部側を前記幅広帯状部の幅よりも狭い幅の幅狭帯状部に形成し、
前記各反転部を略１８０度反転させた際に前記各係合凸部に係合する第一係合孔を前記各幅広帯状部に形成するとともに、前記各幅広帯状部の端部側に前記幅狭帯状部を輪状にして貫通可能なスリットを形成し、
前記各帯状部を、前記各幅狭帯状部を前記スリットに貫通させて輪状にした際に筆記具が通る大きさの輪状となる長さに形成し、
前記各幅狭帯状部の中央先端部側に、前記各幅狭帯状部を前記スリットに貫通させて輪状にするとともに、前記各反転部を反転させて前記各係合凸部に前記第一係合孔を係合した際に前記各係合凸部に係合する第二係合孔を形成し、
前記支持脚により卓上に設置した際に前記一対の係合凸部に係合して、上下に位置する２個の輪状にした前記帯状部により筆記具立てを形成可能としたことを特徴とする卓上設置型カードホルダー。
【請求項２】
輪状にした際に外側となる前記各幅狭帯状部に長さ方向に交互に凹凸する多数の凹凸部を、前記各幅狭帯状部の上下辺に直交させて形成するとともに、前記スリットの貫通を阻止するストッパ部を前記幅狭帯状部に形成したことを特徴とする請求項１に記載の卓上設置型カードホルダー。
【請求項３】
前記合成樹脂板の中央上方に、薄肉の折返し部を水平に形成し、前記折返し部から下方に延びる吊下用可動片を、前記折返し部を残して前記合成樹脂板と分離可能に形成し、
前記吊下用可動片の背面における前記折返し部の下方側近傍に係合突起を形成するとともに、前記吊下用可動片における前記係合突起の下方に吊下用孔を形成し、
前記折返し部を略１８０度折返した際に前記係合突起に係合する可動片係合孔を前記合成樹脂板における前記折返し部の上方側近傍に形成し、
前記折返し部を折返して前記係合突起を前記可動片係合孔に係合させて前記吊下用孔により吊下設置可能とし、
前記合成樹脂板の背面における両側部上方に円筒状突起部を形成し、前記各円筒状突起部内に円盤磁石を固定して、前記円盤磁石により磁力設置可能とし、
卓上設置、吊下設置及び磁力設置を選択して設置可能としたことを特徴とする請求項１又は請求項２に記載の卓上設置型カードホルダー。
【考案の詳細な説明】
【技術分野】
【０００１】
本考案は、カレンダー等の多数のカードを立設した状態で載置する卓上設置型カードホルダー、特に、筆記具立てを形成可能とした卓上設置型カードホルダーに関する技術である。
【背景技術】
【０００２】
従来、各種の卓上設置型カードホルダーが知られている（例えば、特許文献１及び特許文献２参照）。
特許文献１に記載の卓上設置型カードホルダーは、平板状の合成樹脂板に射出成型により支持脚や吊下用可動片を形成して卓上設置や吊下設置を可能としたものである。
【０００３】
また、特許文献２に記載の卓上設置型カードホルダーは、ホルダー本体と、前記ホルダー本体の上部に一体に連設された支持板とを有する傾斜ホルダーを形成して、前記ホルダー本体の片側に筆記具挿通孔を、前記支持板に前記筆記具挿通孔に挿入された筆記具の先端が嵌入する掛止部を備えて、筆記具を設置可能としたものである。
【先行技術文献】
【特許文献】
【０００４】
【特許文献１】特開２００６−２０５３７０号公報（段落００１３、００１６、図２、５）
【特許文献２】実用新案登録第３０３０４８９号公報（段落００１０、００１１、図１、２）
【考案の概要】
【考案が解決しようとする課題】
【０００５】
特許文献１に記載された従来の卓上設置型カードホルダーは、その構造が簡単であるという利点を有するが、筆記具立てがないために、電話中に載置されたカレンダー等のカードにメモをする必要が生じた際に、電話を中断して筆記具を探さなければならないという課題があった。
また、特許文献２に記載された従来の卓上設置型カードホルダーは、筆記具を設置可能としているが、構造が複雑であるという課題があった。
【０００６】
本考案は、このような従来の卓上設置型カードホルダーが有していた課題を解決しようとするものであり、構造が簡単でかつ筆記具立てを形成可能とした卓上設置型カードホルダーとすることを目的としている。
【課題を解決するための手段】
【０００７】
請求項１に係る本考案の卓上設置型カードホルダーは、平板状の合成樹脂板の左右方向中央部に薄肉の一対の折曲部を形成し、前記各折曲部から各側端部に延びる一対の舌片を、前記各折曲部を残して前記合成樹脂板と分離可能に形成し、前記一対の舌片の端部側を互いに係合させて背面から後方に立設した支持脚を形成可能であるとともに、多数のカードを立設した状態で載置する卓上設置型カードホルダーにおいて、
前記合成樹脂板の一側端部側背面に一対の係合凸部を上下に形成し、
前記合成樹脂板における前記各係合凸部の中央側近傍に薄肉の反転部を形成し、前記反転部から中央部側に延びる帯状部を、前記反転部を残して前記合成樹脂板と分離可能に形成し、
前記各帯状部は、前記反転部側を幅広帯状部に、端部側を前記幅広帯状部の幅よりも狭い幅の幅狭帯状部に形成し、
前記各反転部を略１８０度反転させた際に前記各係合凸部に係合する第一係合孔を前記各幅広帯状部に形成するとともに、前記各幅広帯状部の端部側に前記幅狭帯状部を輪状にして貫通可能なスリットを形成し、
前記各帯状部を、前記各幅狭帯状部を前記スリットに貫通させて輪状にした際に筆記具が通る大きさの輪状となる長さに形成し、
前記各幅狭帯状部の中央先端部側に、前記各幅狭帯状部を前記スリットに貫通させて輪状にするとともに、前記各反転部を反転させて前記各係合凸部に前記第一係合孔を係合した際に前記各係合凸部に係合する第二係合孔を形成し、
前記支持脚により卓上に設置した際に前記一対の係合凸部に係合して、上下に位置する２個の輪状にした前記帯状部により筆記具立てを形成可能としたものである。
【０００８】
請求項２に係る本考案の卓上設置型カードホルダーは、請求項１に係る本考案の構成に加え、輪状にした際に外側となる前記各幅狭帯状部に長さ方向に交互に凹凸する多数の凹凸部を、前記各幅狭帯状部の上下辺に直交させて形成するとともに、前記スリットの貫通を阻止するストッパー部を前記幅狭帯状部に形成したものである。
【０００９】
請求項３に係る本考案の卓上設置型カードホルダーは、請求項１又は請求項２に係る本考案の構成に加え、前記合成樹脂板の中央上方に、薄肉の折返し部を水平に形成し、前記折返し部から下方に延びる吊下用可動片を、前記折返し部を残して前記合成樹脂板と分離可能に形成し、
前記吊下用可動片の背面における前記折返し部の下方側近傍に係合突起を形成するとともに、前記吊下用可動片における前記係合突起の下方に吊下用孔を形成し、
前記折返し部を略１８０度折返した際に前記係合突起に係合する可動片係合孔を前記合成樹脂板における前記折返し部の上方側近傍に形成し、
前記折返し部を折返して前記係合突起を前記可動片係合孔に係合させて前記吊下用孔により吊下設置可能とし、
前記合成樹脂板の背面における両側部上方に円筒状突起部を形成し、前記各円筒状突起部内に円盤磁石を固定して、前記円盤磁石により磁力設置可能とし、
卓上設置、吊下設置及び磁力設置を選択して設置可能としたものである。
【考案の効果】
【００１０】
請求項１に係る本考案の卓上設置型カードホルダーは、平板状の合成樹脂板に形成された支持脚及び帯状部により、卓上に設置した際に上下に位置する２個の輪状にした前記帯状部により筆記具立てを形成可能としたから、構造が簡単でかつ筆記具を保持することができるのである。
【００１１】
請求項２に係る本考案の卓上設置型カードホルダーは、請求項１に係る本考案の効果に加え、輪状にした際に外側となる各幅狭帯状部に長さ方向に交互に凹凸する多数の凹凸部を、前記各幅狭帯状部の上下辺に直交させて形成するとともに、前記スリットの貫通を阻止するストッパー部を前記幅狭帯状部に形成したから、筆記具立ての輪状の形状を確実かつ簡単に形成することができるのである。
【００１２】
請求項３に係る本考案の卓上設置型カードホルダーは、請求項１又は請求項２に係る本考案の効果に加え、卓上設置、吊下設置及び磁力設置を可能としたから、設置場所の状況に合わせて最適な設置を選択することができるのである。
【図面の簡単な説明】
【００１３】
【図１】本考案の実施の形態に係る卓上設置型カードホルダーを示す正面側斜視図である。
【図２】本考案の実施の形態に係る卓上設置型カードホルダーを示す背面側斜視図である。
【図３】本考案の実施の形態に係る卓上設置型カードホルダーの組立前を示す正面側斜視図である。
【図４】本考案の実施の形態に係る卓上設置型カードホルダーの組立前を示す背面側斜視図である。
【図５】図３のＡ−Ａ線断面図である。
【図６】本考案の実施の形態に係る卓上設置型カードホルダーを吊下設置型として示す正面側斜視図である。
【考案を実施するための形態】
【００１４】
以下、本考案の実施の形態を添付した図１〜図６に基づき詳細に説明する。
図１は卓上設置型カードホルダーを示す正面側斜視図、図２は図１の背面側斜視図、図３は卓上設置型カードホルダーの組立前の正面側斜視図、図４は図３の背面側斜視図、図５は図３のＡ−Ａ線断面図、図６は吊下設置としての正面側斜視図である。
【００１５】
１は、卓上設置型カードホルダーであり、材質をポリプロピレンとし、板厚を約０．７ｍｍとした平板状の合成樹脂板２を主たる構成部材とし、射出成型により製作している。
卓上設置型カードホルダー１は、図１に示すように、月ごとのカレンダーからなる多数のカード１１を立設した状態で載置できるように、前記合成樹脂板２の両縁部にガイド片２１と、下縁部に受片２２とを一体形成するとともに、さらに背面に支持脚３と、正面視右端に筆記具立て４とを一体形成している。
【００１６】
前記支持脚３は、図３に示すように、前記合成樹脂板２の左右方向中央部に薄肉の一対の折曲部３１を形成し、前記各折曲部３１から各側端部に延びる一対の舌片３２を、前記各折曲部３１を残して前記合成樹脂板２と分離可能となるように各舌片分離用スリット３３を形成している。
前記一対の舌片３２における一方の端部側に上方からの切欠部３４と、他方の端部側に下方からの切欠部３５を形成し、前記各舌片分離用スリット３３には、前記各切欠部３４、３５の先端側に前記舌片３２と前記合成樹脂板２とを簡単に分離可能な一対の連結部３６を形成している。
【００１７】
そして、卓上設置型カードホルダー１を卓上に設置して使用する際には、前記各舌片３２の一対の連結部３６を分離するとともに、前記各折曲部３１を約１００度折り曲げ、前記各切欠部３４、３５を係合させて、図２に示すように、前記合成樹脂板２の背面から後方に立設するように前記支持脚３を形成するのである。
また、図４に示すように、前記合成樹脂板２における背面視左側（正面視右側）となる一側端部側背面に一対の係合凸部４１を約３０ｍｍ離して上下に形成している。
【００１８】
前記各係合凸部４１は、根元側凸部４１ａと先端側凸部４１ｂの２段階の突出直径としており、根元側直径を約２．２ｍｍ、先端側直径を約１．２ｍｍ、根元側突出高さを約１．４ｍｍ、先端側突出高さを約１．１ｍｍに形成している。
図３に示すように、前記合成樹脂板２における前記各係合凸部４１の中央側近傍に薄肉の反転部４２を形成し、前記各反転部４２から中央部側に延びる上側帯状部４３ａと下側帯状部４３ｂとを、前記各反転部４２を残して前記合成樹脂板２と分離可能となるように上側分離用スリット４４ａと下側分離用スリット４４ｂとを形成している。
【００１９】
前記上側帯状部４３ａと下側帯状部４３ｂとは、前記反転部４２側を上側幅広帯状部４５ａと下側幅広帯状部４５ｂとに、端部側を上側幅狭帯状部４６ａと下側幅狭帯状部４６ｂとに形成している。
前記上側幅広帯状部４５ａ及び前記下側幅広帯状部４５ｂは、上下方向の幅を約６ｍｍ、左右方向の長さを約２０ｍｍに形成するとともに、前記各反転部４２を略１８０度反転させた際に、前記各係合凸部４１における前記根元側凸部４１ａに係合する第一係合孔４５ｃを前記上側幅広帯状部４５ａ及び前記下側幅広帯状部４５ｂに形成しており、前記各第一係合孔４５ｃには水平方向の切込部４５ｄを形成して前記根元側凸部４１ａに係合し易くしている。
【００２０】
前記上側幅狭帯状部４６ａは上下方向の幅を、前記上側幅広帯状部４５ａの上下方向の幅よりも狭い幅の約４ｍｍ、左右方向の長さを約７２ｍｍに形成しており、前記下側幅狭帯状部４６ｂは上下方向の幅を、前記下側幅広帯状部４５ｂの上下方向の幅よりも狭い幅の約４ｍｍ、左右方向の長さを約５２ｍｍに形成している。
また、前記上側幅広帯状部４５ａの端部側及び前記下側幅広帯状部４５ｂの端部側に、前記上側幅狭帯状部４６ａ及び前記下側幅狭帯状部４６ｂを輪状にして貫通可能な上側貫通スリット４５ｅ及び下側貫通スリット４５ｆを形成している。
【００２１】
前記上側貫通スリット４５ｅ及び前記下側貫通スリット４５ｆは、上下方向の幅を約４ｍｍ、スリット幅を約１ｍｍとして、前記上側幅狭帯状部４６ａ及び前記下側幅狭帯状部４６ｂを輪状にして貫通可能としている。
前記上側幅狭帯状部４６ａは、図３及び図５に示すように、輪状とした際に外側となる正面における左右方向中央部に長さ方向に交互に凹凸する多数の上側凹凸部４６ｃを、前記上側幅狭帯状部４６ａの上下辺に直交させて形成するとともに、図４に示すように、前記上側貫通スリット４５ｅから約５８ｍｍ離れた位置に前記上側貫通スリット４５ｅの貫通を阻止する上側ストーパー部４６ｄを形成している。
【００２２】
前記下側幅狭帯状部４６ｂは、図３に示すように、輪状とした際に外側となる正面における左右方向中央部に長さ方向に交互に凹凸する多数の下側凹凸部４６ｅを、前記下側幅狭帯状部４６ｂの上下辺に直交させて形成するとともに、図４に示すように、前記下側貫通スリット４５ｆから約３８ｍｍ離れた位置に前記下側貫通スリット４５ｆの貫通を阻止する下側ストーパー部４６ｆを形成している。
また、前記上側幅狭帯状部４６ａの端部及び前記下側幅狭帯状部４６ｂの端部に、前記各係合凸部４１における前記先端側凸部４１ｂに係合する第二係合孔４６ｇを形成するとともに、前記各第二係合孔４６ｇには水平方向の切込部４６ｈを形成して前記先端側凸部４１ｂに係合し易くしている。
【００２３】
前記幅狭帯状部４６ａ、４６ｂにおける前記各ストッパー部４６ｄ、４６ｆの端部側近傍を薄肉部４６ｉとして前記各幅狭帯状部４６ａ、４６ｂを輪状とし易くしている。
前記上側分離用スリット４４ａ及び前記下側分離用スリット４４ｂには、図４に示すように、前記上側幅狭帯状部４６ａにおける前記上側凹凸部４６ｃの左右方向中央部と先端部と、前記下側幅狭帯状部４６ｂにおける前記下側凹凸部４６ｅの左右方向中央部と先端部と前記合成樹脂板２とを簡単に分離可能な連結部４６ｊをそれぞれ３箇所に形成している。
【００２４】
前記筆記具立て４は、図１及び図２に示すように、前記支持脚３を形成して卓上設置型カードホルダー１を卓上に設置して使用する際に使用するのであり、前記各幅狭帯状部４６ａ、４６ｂの各連結部４６ｊを分離するとともに、前記各幅狭帯状部４６ａ、４６ｂを前記各貫通スリット４５ｅ、４５ｆに貫通させて輪状にするのである。
そして、前記各反転部４２を略１８０度反転させて、前記各幅広帯状部４５ａ、４５ｂの第一係合孔４５ｃを前記各係合凸部４１の前記根元側凸部４１ａに係合させるとともに、前記各幅狭帯状部４６ａ、４６ｂの前記第二係合孔４６ｇを前記各係合凸部４１の前記先端側凸部４１ｂに係合させることにより、卓上設置型カードホルダー１を卓上に設置して前記筆記具立て４を使用できるようにするのである。
【００２５】
前記各幅狭帯状部４６ａ、４６ｂを前記各貫通スリット４５ｅ、４５ｆに貫通させて輪状にした際に、前記上側帯状部４３ａにより形成される輪状の大きさは、前記上側貫通スリット４５ｅと前記上側ストッパー部４６ｄとの距離から約１８．５ｍｍの直径となり、筆記具４７の上方側が通る大きさとなるのであり、前記下側帯状部４３ｂにより形成される輪状の大きさは、前記下側貫通スリット４５ｆと前記下側ストッパー部４６ｆとの距離から約１２．１ｍｍの直径となり、前記筆記具４７の下方側が通る大きさとなるのである。
また、前記各帯状部４３ａ、４３ｂを輪状とする際に、前記各幅狭帯状部４６ａ、４６ｂに多数の前記凹凸部４６ｃ、４６ｅが形成されるとともに、前記各貫通スリット４５ｅ、４５ｆの貫通を阻止する前記各ストッパー部４６ｄ、４６ｆが形成されているから、輪状の形状を確実かつ簡単に形成することができるのである。
【００２６】
以上説明した卓上設置型カードホルダー１は、設置場所の状況に合わせて、卓上設置に替えて吊下設置や磁力設置ができるようにしており、次に、吊下設置の場合について説明する。
図３及び図４において、前記合成樹脂板２の中央上方に、薄肉の折返し部５１を水平に形成し、前記折返し部５１から下方に延び下端を半円状とした吊下用可動片５を、前記折返し部５１を残して前記合成樹脂板２と分離可能となるように可動片分離用スリット５２を形成している。
【００２７】
前記吊下用可動片５の背面における前記折返し部５１の下方側近傍に上下方向に長円筒状の係合突起５３を形成するとともに、前記吊下用可動片５における前記係合突起５３の下方に吊下用孔５４を形成している。
前記係合突起５２は突起高さを約２．５ｍｍ、左右方向幅を約３．３ｍｍ、上下方向高さを約４．３ｍｍ、筒部の厚みを約０．７ｍｍに形成し、前記吊下用孔５４は約８ｍｍの円形孔とその下端に約４ｍｍの半円状孔を一体的に形成したものである。
【００２８】
また、前記折返し部５１を略１８０度折り返した際に前記係合突起５３に係合する可動片係合孔５５を前記合成樹脂板２の背面における前記折返し部５１の上方側近傍に形成している。
前記可動片係合孔５５は、前記係合突起５３を折り返しながら係合できるように前記係合突起５３の外形寸法よりも若干大きく形成するとともに上下方向中央に水平方向の小さな切込部５６を形成している。
【００２９】
前記可動片分離用スリット５２には、前記吊下用可動片５の下端と前記合成樹脂板２とを簡単に分離可能な連結部５７を形成している。
そして、前記吊下用可動片５の前記連結部５７を分離するとともに、前記折返し部５１を略１８０度折り返して前記係合突起５３を前記可動片係合孔５５に係合させることにより、図６に示すように、前記吊下用可動片５を用いて卓上設置型カードホルダー１を吊下設置可能としたのである。
【００３０】
次に、卓上設置型カードホルダー１を磁力設置する場合について説明する。
図４において、前記合成樹脂板２の背面における両側部上方にそれぞれ２個で合計４個の円筒状突起部６１を形成し、図２に示すように、前記各円筒状突起部６１内に、それぞれ円盤磁石６を固定して、卓上設置型カードホルダー１を前記円盤磁石６により強磁性体の金属板に磁力設置可能としたのである。
【００３１】
前記円筒状突起部６１は突起高さを約３．２ｍｍ、外径を約１１．２ｍｍ、内径を約１０．２ｍｍに形成し、前記円筒状突起部６１の内周に６０度ピッチで６本のリブ６２を形成して、前記円盤磁石６の組み込みと固定を容易に行えるようにしている。
以上の実施の形態では、前記支持脚３は、前記一対の舌片３２に上方からの切欠部３４と下方からの切欠部３５とを形成して前記各切欠部３４、３５を係合させて形成しているが、一方の前記舌片３２に突起を、他方の前記舌片３２に係合孔を形成して係合させるようにしてもよい。
【００３２】
以上の実施の形態では、前記各舌片３２、前記上側帯状部４３ａ、前記下側帯状部４３ｂ及び前記吊下用可動片５には、前記各舌片分離用スリット３３、前記上側分離用スリット４４ａ、前記下側分離用スリット４４ｂ及び前記可動片分離用スリット５２により、前記合成樹脂板２と分離可能に形成しているが、各分離用スリットに替えて、分離用切込部としてもよい。
また、以上の実施の形態では、前記上側幅狭帯状部４６ａ及び前記下側幅狭帯状部４６ｂに、前記上側凹凸部４６ｃ、前記上側ストッパー部４６ｄ、前記下側凹凸部４６ｅ及び前記下側ストッパー部４６ｆを形成したが、これらは必ずしも必要ではなく、例えば、前記上側幅狭帯状部４６ａ及び前記下側幅狭帯状部４６ｂの板厚を薄くすることにより、凹凸部を省略でき、また、前記上側貫通スリット４５ｅ及び前記下側貫通スリット４５ｆのスリット幅と、前記上側幅狭帯状部４６ａ及び前記下側幅狭帯状部４６ｂの板厚とを、適宜の摩擦が生ずるように形成することにより、ストッパー部を省略することができる。
【００３３】
以上の実施の形態では、前記吊下用可動片５及び前記円盤磁石６により、吊下設置及び磁力設置を選択可能としたが、卓上設置専用としてもよく、卓上設置に加えて吊下設置又は磁力設置を可能としてもよい。
以上の実施の形態では、前記カード１１としてカレンダーを一例としたが、料理レシピ、写真、はがきなどの各種カードを対象とすることができる。
【００３４】
また、以上の実施の形態では、各構成部材の寸法を一例として示したが、本考案の技術的思想に沿って適宜変更をすることができることはもちろんである。
【符号の説明】
【００３５】
１    卓上設置型カードホルダー
２    合成樹脂板
３    支持脚
４    筆記具立て
５    吊下用可動片
６    円盤磁石
１１  カード
３１  折曲部
３２  舌片
４１  係合凸部
４２  反転部
４３ａ、４３ｂ  上側帯状部、下側帯状部
４５ａ、４５ｂ  上側幅広帯状部、下側幅広帯状部
４５ｃ  第一係合孔
４５ｅ、４５ｆ  上側貫通スリット、下側貫通スリット
４６ａ、４６ｂ  上側幅狭帯状部、下側幅狭帯状部
４６ｃ、４６ｅ  上側凹凸部、下側凹凸部
４６ｄ、４６ｆ  上側ストッパー部、下側ストッパー部
４６ｇ  第二係合孔
４７  筆記具
５１  折返し部
５３  係合突起
５４  吊下用孔
５５  可動片係合孔
６１  円筒状突起部
【図１】
0003174729.tif 000003
【図２】
0003174729.tif 000004
【図３】
0003174729.tif 000005
【図４】
0003174729.tif 000006
【図５】
0003174729.tif 000007
【図６】
0003174729.tif 000008